(57)【要約】火災感知器を容易に設置することができ、その設置工数が殆ど要求されず、設置コストが低いようにする。  導体を有する一対の電線１がリール２に巻き取られ、形状記憶合金体８が対の電線１のまわりに取り付けられる。そして、その電線１がリール２から引き出され、敷設され、火災が発生したとき、火災の熱によって形状記憶合金体８が形状復元し、形状記憶合金体８によって各電線１が締め付けられ、その導体が接触し、火災が感知される。
2005010841.tif 000002
【特許請求の範囲】
【請求項１】
リールと、
導体を有し、前記リールに巻き取られた一対の電線と、
前記対の電線のまわりに取り付けられた形状記憶合金体とからなり、
前記電線が前記リールから引き出され、敷設され、火災が発生したとき、火災の熱によって前記形状記憶合金体が形状復元し、形状記憶合金体によって前記各電線が締め付けられ、その導体が接触し、火災が感知されるようにしたことを特徴とする火災感知器。
【請求項２】
前記形状記憶合金体はコイル状であり、前記対の電線のまわりに巻き付けられていることを特徴とする請求項１に記載の火災感知器。
【請求項３】
前記形状記憶合金体は逆向きの二重コイルからなるスリーブ網状であることを特徴とする請求項１に記載の火災感知器。
【請求項４】
前記形状記憶合金体はクリップ状のものであることを特徴とする請求項１に記載の火災感知器。
【請求項５】
複数の前記形状記憶合金体が前記電線に沿って間隔を置いて配置され、対の電線のまわりに取り付けられていることを特徴とする請求項２〜４のいずれかに記載の火災感知器。
【請求項６】
前記電線は可溶絶縁体を有する可溶絶縁電線からなり、前記導体が前記可溶絶縁体に収容されており、火災が発生したとき、その熱によって前記絶縁体が溶融するようにしたことを特徴とする請求項５に記載の火災感知器。
【請求項７】
前記リールは電源装置および警報装置を有し、前記各電線が前記電源装置および警報装置に接続されており、前記導体が接触したとき、電流が前記電源装置から供給され、前記警報装置に流れ、前記警報装置によって警報がなされるようにしたことを特徴とする請求項１に記載の火災感知器。
【請求項８】
リールと、
前記リールに巻き取られた一対の電線と、
前記各電線間に組み込まれた熱応答手段とからなり、
前記電線が前記リールから引き出され、敷設され、火災が発生したとき、前記熱応答手段が火災の熱に応答し、前記熱応答手段によって前記各電線が接続され、火災が感知されるようにしたことを特徴とする火災感知器。
【請求項９】
前記熱応答手段は感知線、バイメタル、半導体または形状記憶合金体からなることを特徴とする請求項８に記載の火災感知器。
【請求項１０】
複数の前記熱応答手段が前記電線に沿って間隔を置いて配置され、前記各電線間に組み込まれていることを特徴とする請求項９に記載の火災感知器。
【請求項１１】
前記リールは電源装置および警報装置を有し、前記各電線が前記電源装置および警報装置に接続されており、前記電線が接続されたとき、電流が前記電源装置から供給され、前記警報装置に流れ、前記警報装置によって警報がなされるようにしたことを特徴とする請求項８に記載の火災感知器。
【請求項１２】
リールと、
前記リールに巻き取られた閉ループ電線と、
前記閉ループ電線に組み込まれた熱応答手段とからなり、
前記電線が前記リールから引き出され、敷設され、火災が発生したとき、前記熱応答手段が火災の熱に応答し、前記熱応答手段によって起電力が発生し、火災が感知されるようにしたことを特徴とする火災感知器。
【請求項１３】
前記熱応答手段は熱電対または熱半導体からなることを特徴とする請求項１２に記載の火災感知器。
【請求項１４】
複数の前記熱応答手段が前記電線に沿って間隔を置いて配置され、前記閉ループ電線に組み込まれていることを特徴とする請求項１３に記載の火災感知器。
【請求項１５】
前記リールは電源装置、警報装置および起電力検出装置を有し、前記検出装置が前記電源装置および警報装置に接続され、前記閉ループ電線が前記検出装置に接続されており、前記起電力が生じたとき、前記検出装置によって前記起電力が検出され、電流が前記電源装置から供給され、前記警報装置に流れ、前記警報装置によって警報がなされるようにしたことを特徴とする請求項１２に記載の火災感知器。
【請求項１６】
リールと、
前記リールに巻き取られた一対の電線と、
前記各電線間に組み込まれた煙検出手段とからなり、
前記電線が前記リールから引き出され、敷設され、火災が発生したとき、前記煙検出手段によって煙が検出され、前記各電線が接続され、火災が感知されるようにしたことを特徴とする火災感知器。
【発明の詳細な説明】
【技術分野】
【０００１】  この発明は、火災感知器に関するものである。
【背景技術】
【０００２】  特開２００３−３６４８８号公報に記載されているように、火災感知器が一般に使用され、天井面に取り付けられ、設置されているが、その作業は容易ではない。工数が要求され、コストが高い。【０００３】  この関係上、火災感知器が建造後の建築物に設置されることは普通であるが、建造中の建築物または作業場に設置されることはない。したがって、建造中の建築物または作業場で火災が発生したとき、それに的確に対処することができず、その対策が強く要望されている。【０００４】  同様の理由で、火災感知器が展示場、イベント会場、興行会場、仮設住宅、仮設宿舎、仮設工場および仮設事務所に設置されることもない。したがって、火災が発生したとき、それに的確に対処することができない。【０００５】  さらに、同公報の火災感知器は煙または熱を検出する種類のもので、それが天井面に取り付けられることは前述したとおりである。したがって、火災が発生したとき、煙または熱が天井面に達すると、火災感知器によって火災が感知されるが、煙または熱が天井面に達するまで、同公報の火災感知器によって火災を感知することはできない。したがって、煙または熱が天井面に達しなくても、早期に火災が感知されるようにすることも強く要望されている。【０００６】  さらに、火災が発生する原因はいくつかあり、発生する場所は様々である。たとえば、放火の場合、屋外で火災が発生することがほとんどであり、塀、垣根、駐車場、物置、倉庫、廃材置き場で火災が発生することが多い。したがって、発生場所を問わず、随時火災が感知されるようにすることも重要である。【０００７】  この他、建造中の船舶、航空機、車両および作業場で火災が発生することもある。【０００８】  したがって、この発明の目的は、容易に設置することができ、工数が要求されず、コストが低い火災感知器を提供することにある。【０００９】  他の目的は、建造中の建築物または作業場に設置するに適した火災感知器を提供することにある。【００１０】  他の目的は、展示場などの仮設建造物に設置するに適した火災感知器を提供することにある。【００１１】  他の目的は、煙または熱が天井面に達しなくても、早期に火災が感知されるようにすることにある。【００１２】  他の目的は、火災発生場所を問わず、随時火災が感知されるようにすることにある。【００１３】  他の目的は、建造中の船舶、航空機、車両および作業場に設置するに適した火災感知器を提供することにある。
【特許文献１】特開２００３−３６４８８号公報
【発明の開示】
【００１４】  この発明によれば、導体を有する一対の電線がリールに巻き取られ、形状記憶合金体が対の電線のまわりに取り付けられる。そして、電線がリールから引き出され、敷設され、火災が発生したとき、火災の熱によって形状記憶合金体が形状復元し、形状記憶合金体によって各電線が締め付けられ、その導体が接触し、火災が感知される。
【００１５】  形状記憶合金体はコイル状であり、対の電線のまわりに巻き付けられていることが好ましい。
【００１６】  形状記憶合金体は逆向きの二重コイルからなるスリーブ網状であってもよい。
【００１７】  形状記憶合金体はクリップ状のものであってもよい。
【００１８】  好ましい実施例では、複数の形状記憶合金体が電線に沿って間隔を置いて配置され、対の電線のまわりに取り付けられる。
【００１９】  電線は可溶絶縁体を有する可溶絶縁電線からなる。そして、導体が可溶絶縁体に収容され、火災が発生したとき、その熱によって絶縁体が溶融する。
【００２０】  リールは電源装置および警報装置を有する。さらに、各電線が電源装置および警報装置に接続される。したがって、導体が接触したとき、電流が電源装置から供給され、警報装置に流れ、警報装置によって警報がなされる。
【００２１】  熱応答手段を各電線間に組み込み、火災が発生したとき、熱応答手段が火災の熱に応答し、熱応答手段によって各電線が接続され、火災が感知されるようにしてもよい。
【００２２】  熱応答手段は感知線、バイメタル、半導体または形状記憶合金体からなる。
【００２３】  複数の熱応答手段を電線に沿って間隔を置いて配置し、各電線間に組み込むことが好ましい。
【００２４】  閉ループ電線をリールに巻き取り、熱応答手段を閉ループ電線に組み込み、火災が発生したとき、熱応答手段が火災の熱に応答し、熱応答手段によって起電力が発生し、火災が感知されるようにしてもよい。
【００２５】  熱応答手段は熱電対または熱半導体からなる。
【００２６】  複数の熱応答手段を電線に沿って間隔を置いて配置し、閉ループ電線に組み込むことが好ましい。
【００２７】  リールは電源装置、警報装置および起電力検出装置を有することが好ましい。さらに、検出装置が電源装置および警報装置に接続され、閉ループ電線が検出装置に接続される。したがって、起電力が発生したとき、検出装置によって起電力が検出され、電流が電源装置から供給され、警報装置に流れ、警報装置によって警報がなされる。
【００２８】  一対の電線をリールに巻き取り、煙検出手段を各電線間に組み込み、火災が発生したとき、煙検出手段によって煙が検出され、各電線が接続され、火災が感知されるようにしてもよい。
【図面の簡単な説明】
【００２９】［図１］図１はこの発明の実施例を示す斜視図である。
［図２］図２は図１の火災感知器の反対側を示す斜視図である。
［図３］図３は図１の火災感知器の電気回路図である。
［図４］図４は図１の火災感知器に使用する他のリールの斜視図である。
［図５］図５は他の実施例を示す説明図である。
［図６］図６は他の実施例を示す説明図である。
［図７］図７は他の実施例を示す斜視図である。
［図８］図８は他の実施例を示す斜視図である。
［図９］図９は他の実施例を示す説明図である。
【符号の説明】
【００３０】１，３０，４１，４４  電線
２，３１  リール
８  形状記憶合金体
９  ジャック
１５，３９  火災ランプ
１６，４０  ベルまたはブザー
３７  感知線
３８  電池
４２  熱電対または熱半導体
４３  起電力検出装置
４５  煙検出手段
【発明を実施するための最良の形態】
【００３１】  以下、この発明の実施例を説明する。【００３２】  図１はこの発明にかかる火災感知器を示す。この火災感知器は一対の電線１を含み、電線１は導体を有し、リール２に巻き取られている。この実施例では、リール２は一対のフランジ３，４を有し、ドラムが各フランジ３，４間に配置されており、フランジ３，４はドラムと同心であり、ドラムと一体化されている。さらに、金棒によってスタンド５が形成されており、金棒は上方に屈曲し、一方のフランジ３に沿ってのびる。さらに、金棒の一端が水平に屈曲し、その屈曲端によって支軸が形成され、支軸はフランジ３，４およびドラムの軸方向にのび、その中心孔にはめ込まれており、フランジ３，４およびドラムは支軸に支持され、回転可能である。さらに、金棒の他端が水平に屈曲し、その屈曲端によって取っ手６が形成され、取っ手６はフランジ３，４およびドラムの軸方向にのび、その上方に配置されている。さらに、図２に示すように、ハンドル７が他方のフランジ４に設けられており、ハンドル７によってフランジ３，４およびドラムを回転させ、各フランジ３，４間において、電線１をドラムに巻き取ることができる。その後、片手で取っ手６を持ち、リール２および電線１を搬送することができる。【００３３】  さらに、形状記憶合金体８が対の電線１のまわりに取り付けられている。形状記憶合金体８はコイル状のもので、対の電線１のまわりに巻きつけられている。さらに、この実施例では、複数の形状記憶合金体８が電線１に沿って間隔を置いて配置され、対の電線１のまわりに巻き付けられ、取り付けられている。そして、後述するように、火災が発生したとき、火災の熱によって温度が上昇するが、その温度が設定温度に達すると、火災の熱によって形状記憶合金体８が形状復元し、その半径が減少する。一方、電線１は可溶絶縁体を有する可溶絶縁電線からなる。そして、導体が可溶絶縁体に収容されており、火災の熱によって温度が上昇し、その温度が所定温度に達すると、火災の熱によって絶縁体が溶融する。【００３４】  さらに、リール２は電源装置および警報装置を有する。この実施例では、電源装置としてジャック９が使用され、ジャック９が一方のフランジ３に設けられている。さらに、プラグ１０が電線１１の一端に設けられ、ＡＣアダプタ１２が電線１１の他端に設けられており、プラグ１０をジャック９に差し込み、ＡＣアダプタ１２をコンセントに差し込むことができ、電流をＡＣアダプタ１２から供給し、電線１１に通し、プラグ１０およびジャック９に導くことができる。この他、スイッチ１３および電源ランプ１４が一方のフランジ３に設けられている。さらに、警報装置として火災ランプ１５およびベルまたはブザー１６が使用され、火災ランプ１５が一方のフランジ３に設けられ、ベルまたはブザー１６が他方のフランジ４に設けられている。【００３５】  さらに、各電線１が電源装置および警報装置に接続されている。この実施例では、図３に示すように、各電線１がリレー１７、スイッチ１３およびジャック９に接続され、リレー接点１８、火災ランプ１５およびベルまたはブザー１６に接続されている。さらに、電源ランプ１４がスイッチ１３およびジャック９に接続されている。【０��３６】  この火災感知器の作用は次のとおりである。【００３７】  たとえば、建設中の建築物または作業場において、プラグ１０がジャック９に差し込まれ、ＡＣアダプタ１２がコンセントに差し込まれる。さらに、スイッチ１３がＯＮ状態に切り換えられる。したがって、電流がＡＣアダプタ１２から供給され、電線１１を通り、プラグ１０およびジャック９に導かれる。さらに、電流がジャック９から供給され、スイッチ１３を通り、電源ランプ１４に流れ、電流によって電源ランプ１４が点灯する。その後、電線１がリール２から引き出され、床面、天井面または壁面に敷設される。電線１をリール２から引き出し、空中に架線し、敷設してもよい。【００３８】  したがって、その後、火災が発生したとき、火災の熱によって温度が上昇し、その温度が設定温度に達すると、火災の熱によって形状記憶合金体８が形状復元し、その半径が減少する。したがって、形状記憶合金体８によって各電線１が締め付けられ、その導体が接触する。これによって火災が感知されるものである。【００３９】  この実施例では、電線１は可溶絶縁電線であり、導体は可溶絶縁体に収容されていることは前述したとおりである。したがって、火災が発生したとき、火災の熱によって温度が上昇し、その温度が所定温度に達すると、火災の熱によって絶縁体が溶融する。これと同時に、火災の熱によって形状記憶合金体８が形状復元し、その半径が減少し、形状記憶合金体８によって各電線１が締め付けられる。したがって、確実に導体が接触する。【００４０】  しかも、複数の形状記憶合金体８が電線１に沿って間隔を置いて配置され、対の電線１のまわりに巻き付けられ、取り付けられていることも前述したとおりである。したがって、電線１の全長において、どの部分で火災が発生しても、問題はない。その部分において、火災の熱によって形状記憶合金体８が形状復元し、各電線１が締め付けられ、その導体が接触する。したがって、確実に火災が感知される。【００４１】  さらに、各電線１の導体が接触すると、まず、電流がジャック９から供給され、電線１を通り、リレー１７に流れ、電流によってリレー１７が励磁され、リレー接点１８がＯＮ状態に切り換えられる。したがって、電流がリレー接点１８を通り、火災ランプ１５およびベルまたはブザー１６に流れ、電流によって火災ランプ１５が点灯し、ベルまたはブザー１６が鳴る。したがって、火災ランプ１５およびベルまたはブザー１６によって警報がなされ、火災に的確に対処することができる。【００４２】  なお、この火災感知器は一対のジャック１９を有する。ジャック１９は火災ランプ１５およびベルまたはブザー１６を試験するためのもので、各電線１と組み合わされ、その先端に設けられている。さらに、一対のプラグ２０がそれと組み合わされ、電線２１によって各プラグ２０が接続されている。したがって、各プラグ２０を各ジャック１９に差し込み、電流を火災ランプ１５およびベルまたはブザー１６に流すことができ、これによって火災ランプ１５およびベルまたはブザー１６を試験することができる。【００４３】  さらに、この実施例では、ジャック２２が一方のフランジ３に設けられており、火災が発生し、電線１の導体が接触し、リレ���１７が励磁されたとき、リレー接点２３がＯＮ状態に切り換えられ、電流がリレー接点２３を通り、ジャック２２に供給される。さらに、図４に示すように、他のリール２４において、プラグ２５が電線２６の先端に設けられ、電線２６がリール２４に巻き取られており、電線２６をリール２４から引き出すことができ、プラグ２５をジャック２２に差し込むことができる。リール２４はリール２と同様の構造のもので、ハンドル２７およびベルまたはブザー２８を有する。したがって、電流が電線２６を通り、ベルまたはブザー２８に流れ、電流によってベルまたはブザー２８が鳴る。したがって、リール２から離れた位置でも、ベルまたはブザー２８によって警報がなされ、火災に的確に対処することができる。【００４４】  さらに、無線信号発信器２９が一方のフランジ３に設けられており、火災が発生し、電線１の導体が接触したとき、無線信号が発信器２９から発信される。したがって、リール２から離れた位置において、無線信号が受信器に受信され、警報装置によって警報がなされるようにすることもできる。【００４５】  この火災感知器はポータブルであり、容易に搬送することができる。その後、設置位置において、電線１をリール２から引き出し、敷設するだけでよく、これを容易に設置することができ、工数は要求されず、コストは低い。設置する必要がなくなったとき、電線１をリール２に巻き取り、これを容易に搬送し、保管することもできる。保管後、この火災感知器を他の設置位置に搬送し、繰り返し使用することもでき、経済的であり、実用的である。【００４６】  この結果、この火災感知器を建設中の建築物または作業場に設置することができるものである。したがって、建設中の建造物または作業場で火災が発生したとき、それに的確に対処することができる。【００４７】  建設中の建築物に限らず、この火災感知器を展示場などの仮設建造物に設置することもできる。したがって、その仮設建造物で火災が発生したとき、それに的確に対処することができる。【００４８】  建設後の建築物において、通常の火災感知器が天井面に取り付けられているとき、この火災感知器をその建築物に使用し、電線１をリール２から引き出し、床面または壁面に敷設してもよい。電線１をリール２から引き出し、空中に架線し、敷設してもよい。この場合、煙または熱が天井面に達しなくても、早期に火災が感知され、それに的確に対処することができる。【００４９】  この他、火災発生場所を問わず、随時火災が感知されるようにすることもできる。たとえば、放火の場合、屋外で火災が発生することがほとんどであるが、この火災感知器を屋外に設置し、屋外で火災が発生したとき、それに的確に対処することもできる。【００５０】  この火災感知器を建造中の船舶、航空機、車両および作業場に設置することもできる。したがって、火災が発生したとき、それに的確に対処することができる。【００５１】  なお、この実施例では、電源装置にジャック９を使用し、ＡＣアダプタ１２およびプラグ１０をジャック９と組み合わせたものを説明したが、電源装置として乾電池、蓄電池などの電池を使用し、これをリール２に設けてもよい。【００５２】  図５に示すように、形状記憶合金体８���逆向きの二重コイルからなるスリーブ網状であってもよい。この場合、電線１をスリーブ網状の形状記憶合金体８に挿入すると、形状記憶合金体８が対の電線１のまわりに取り付けられる。そして、火災が発生したとき、火災の熱によって形状記憶合金体８が形状復元し、その半径が減少する。したがって、形状記憶合金体８によって各電線１が締め付けられ、その導体が接触し、火災が感知される。【００５３】  図６に示すように、形状記憶合金体８はクリップ状であってもよい。クリップ状であっても、それを対の電線１のまわりに取り付けると、火災が発生したとき、火災の熱によって形状記憶合金体８が形状復元し、その半径が減少する。したがって、形状記憶合金体８によって各電線１が締め付けられ、その導体が接触し、火災が感知される。
一対の電線１を互いにねじり合わせ、リール２に巻き取ると、使い勝手がよい。【００５４】  図７は他の実施例を示す。この実施例でも、一対の電線３０がリール３１に巻き取られている。リール３１はフランジ３２，３３、ドラム、スタンド３４、取っ手３５およびハンドル３６を有する。したがって、図１のリール２と同様、ハンドル３６によってフランジ３２，３３およびドラムを回転させ、各フランジ３２，３３間において、電線３０をドラムに巻き取ることができる。その後、片手で取っ手３５を持ち、リール３１および電線３０を搬送することができる。【００５５】  さらに、図７の実施例では、熱応答手段が各電線３０間に組み込まれている。熱応答手段は感知線３７からなる。この実施例では、複数の感知線３７が電線３０に沿って間隔を置いて配置され、各電線３０間に組み込まれている。感知線３７は一対の絶縁電線をねじり合わせたもので、ツイスト絶縁電線と呼ばれているところのものである。【００５６】  さらに、リール３１は電源装置および警報装置を有する。この実施例では、電源装置として乾電池、蓄電池などの電池３８が使用され、これが一方のフランジ３２に設けられている。さらに、警報装置として火災ランプ３９およびベルまたはブザー４０が使用され、これが一方のフランジ３２に設けられている。さらに、各電線３０が電池３８、火災ランプ３９およびベルまたはブザー４０に接続されている。【００５７】  そして、電線３０がリール３１から引き出され、敷設される。したがって、その後、火災が生じたとき、感知線３７が火災の熱に応答し、火災の熱によって感知線３７の絶縁が破壊され、感知線３７によって各電線３０が接続され、火災が感知される。さらに、電流が電池３８から供給され、火災ランプ３９およびベルまたはブザー４０に流れ、電流によって火災ランプ３９が点灯し、ベルまたはブザー４０が鳴る。したがって、火災ランプ３９およびベルまたはブザー４０によって警報がなされ、火災に的確に対処することができる。【００５８】  熱応答手段にバイメタル、半導体または形状記憶合金体を使用し、火災が生じたとき、バイメタル、半導体または形状記憶合金体が火災の熱に応答し、バイメタル、半導体または形状記憶合金体によって各電線３０が接続されるようにしてもよい。【００５９】  図８の実施例では、閉ループ電線４１がリール３１に巻き取られ、熱応答手段が閉ループ電線４１に組み込まれている。熱応答手段は熱電対または熱半導体４２からなる。さらに、この実施例では、複数の熱電対または熱半導体４２が電線４１に沿って間隔を置いて配置され、閉ループ電線４１に組み込まれている。【００６０】  さらに、乾電池、蓄電池などの電池３８、火災ランプ３９およびベルまたはブザー４０の他に、リール３１は起電力検出装置４３を有する。起電力検出装置４３も一方のフランジ３２に設けられている。そして、検出装置４３が電池３８、火災ランプ３９およびベルまたはブザー４０に接続され、閉ループ電線４１が検出装置４３に接続されている。【００６１】  したがって、火災が発生したとき、熱電対または熱半導体４２が火災の熱に応答し、熱電対または熱半導体４２によって起電力が発生し、火災が感知される。さらに��起電力が発生したとき、検出装置４３によって起電力が検出され、電流が電池３８から供給され、火災ランプ３９およびベルまたはブザー４０に流れ、火災ランプ３９およびベルまたはブザー４０によって警報がなされる。【００６２】  図７および図８の実施例において、図１のリール２と同様、電源装置にジャックを使用し、ＡＣアダプタおよびプラグをジャックと組み合わせてもよい。【００６３】  図９の実施例では、一対の電線４４がリールに巻き取られ、煙検出手段４５が各電線４４間に組み込まれている。リールは電源装置および警報装置を有し、各電線４４が電源装置および警報装置に接続されていることは他の実施例と同様である。【００６４】  そして、電線４４がリールから引き出され、敷設される。したがって、その後、火災が発生したとき、煙検出手段４５によって煙が検出され、各電線４４が接続され、火災が感知される。さらに、電流が電源装置から供給され、警報装置に流れ、警報装置によって警報がなされる。
【図１】
2005010841.tif 000003
【図２】
2005010841.tif 000004
【図３】
2005010841.tif 000005
【図４】
2005010841.tif 000006
【図５】
2005010841.tif 000007
【図６】
2005010841.tif 000008
【図７】
2005010841.tif 000009
【図８】
2005010841.tif 000010
【図９】
2005010841.tif 000011
【手続補正書】
【提出日】平成17年8月31日(2005.8.31)
【手続補正１】
【補正対象書類名】特許請求の範囲
【補正対象項目名】全文
【補正方法】変更
【補正の内容】
【特許請求の範囲】
【請求項１】
リールと、
導体を有し、前記リールに巻き取られた一対の電線と、
前記対の電線のまわりに取り付けられた形状記憶合金体とからなり、
前記電線が前記リールから引き出され、敷設され、火災が発生したとき、火災の熱によって前記形状記憶合金体が形状復元し、形状記憶合金体によって前記各電線が締め付けられ、その導体が接触し、火災が感知されるようにしたことを特徴とする火災感知器。
【請求項２】
前記形状記憶合金体はコイル状であり、前記対の電線のまわりに巻き付けられていることを特徴とする請求項１に記載の火災感知器。
【請求項３】
前記形状記憶合金体は逆向きの二重コイルからなるスリーブ網状であることを特徴とする請求項１に記載の火災感知器。
【請求項４】
前記形状記憶合金体はクリップ状のものであることを特徴とする請求項１に記載の火災感知器。
【請求項５】
複数の前記形状記憶合金体が前記電線に沿って間隔を置いて配置され、対の電線のまわりに取り付けられていることを特徴とする請求項２〜４のいずれかに記載の火災感知器。
【請求項６】
前記電線は可溶絶縁体を有する可溶絶縁電線からなり、前記導体が前記可溶絶縁体に収容されており、火災が発生したとき、その熱によって前記絶縁体が溶融するようにしたことを特徴とする請求項５に記載の火災感知器。
【請求項７】
前記リールは電源装置および警報装置を有し、前記各電線が前記電源装置および警報装置に接続されており、前記導体が接触したとき、電流が前記電源装置から供給され、前記警報装置に流れ、前記警報装置によって警報がなされるようにしたことを特徴とする請求項１に記載の火災感知器。
【請求項８】
リールと、
前記リールに巻き取られた一対の電線と、
前記各電線間に組み込まれた熱応答手段とからなり、
前記電線が前記リールから引き出され、敷設され、火災が発生したとき、前記熱応答手段が火災の熱に応答し、前記熱応答手段によって前記各電線が接続され、火災が感知されるようにし、さらに
前記リールは電源装置および警報装置を有し、前記各電線が前記電源装置および警報装置に接続されており、前記電線が接続されたとき、電流が前記電源装置から供給され、前記警報装置に流れ、前記警報装置によって警報がなされるようにしたことを特徴とする火災感知器。
【請求項９】
リールと、
前記リールに巻き取られた閉ループ電線と、
前記閉ループ電線に組み込まれた熱応答手段とからなり、
前記電線が前記リールから引き出され、敷設され、火災が発生したとき、前記熱応答手段が火災の熱に応答し、前記熱応答手段によって起電力が発生し、火災が感知されるようにし、さらに
前記リールは電源装置、警報装置および起電力検出装置を有し、前記検出装置が前記電源装置および警報装置に接続され、前記閉ループ電線が前記検出装置に接続されており、前記起電力が生じたとき、前記検出装置によって前記起電力が検出され、電流が前記電源装置から供給され、前記警報装置に流れ、前記警報装置によって警報がなされるようにしたことを特徴とする火災感知器。
【国際調査報告】
2005010841.tif 000012
2005010841.tif 000013
2005010841.tif 000014
2005010841.tif 000015